【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
近距離無線通信を実行する第１通信部と、前記近距離無線通信より高速な通信を実行する第２通信部と、を有する情報処理装置であって、
ユーザから所定の指示を受け付ける指示受付手段と、
前記第１通信部によって、前記情報処理装置の外部の装置から、前記装置を特定するための特定情報を受信する処理を、前記指示受付手段により前記所定の指示が受け付けられる前から開始する受信手段と、
前記受信手段により受信された前記特定情報をメモリに保存する保存手段と、
前記受け付け手段により前記所定の指示が受け付けられた場合、前記情報処理装置が属するサブネット内の、前記情報処理装置が通信可能な装置を検索可能な第１検索処理を実行する第１検索手段と、
前記受け付け手段により前記所定の指示が受け付けられた場合、前記保存手段により保存された前記特定情報を用いて、前記情報処理装置が属するサブネットの外部の、前記情報処理装置が通信可能な装置を検索可能な第２検索処理を実行する第２検索手段と、
前記第１検索手段及び前記第２検索手段によって発見された装置のうちいずれかの装置と、前記第２通信部によって通信する通信手段と、
を有し、
前記第２検索手段によって前記第２検索処理が実行された場合、前記第２検索処理に用いられた前記特定情報の送信元の装置が発見されることを特徴とする情報処理装置。
【請求項２】
前記保存手段は、前記受信手段が複数の前記特定情報を受信した場合、複数の前記特定情報を前記メモリに保存し、
前記第２検索手段は、前記メモリに複数の前記特定情報が保存されている場合、複数の前記特定情報それぞれを用いて、複数回、前記第２検索処理を実行することを特徴とする請求項１に記載の情報処理装置。
【請求項３】
前記保存手段は、前記受信手段によって受信された第１の前記特定情報の送信元の装置と、前記メモリにすでに保存されている第２の前記特定情報の送信元の装置が同一である場合、前記メモリにすでに保存されている前記第２の前記特定情報を、前記第１の前記特定情報に更新することを特徴とする請求項１又は２に記載の情報処理装置。
【請求項４】
前記第２の検索手段は、前記第１の検索手段により、前記メモリにすでに保存されている所定の前記特定情報の送信元の装置が発見された場合、前記所定の前記特定情報を用いた前記第２検索処理を実行しないことを特徴とする請求項１〜３のいずれか１項に記載の情報処理装置。
【請求項５】
前記第２の検索手段は、前記メモリに前記特定情報が保存されていない場合には、前記第２検索処理を実行しないことを特徴とする請求項１〜４のいずれか１項に記載の情報処理装置。
【請求項６】
前記第１検索手段及び前記第２検索手段によって発見された装置に関する情報を表示部に表示する表示制御手段と、
前記第１検索手段及び前記第２検索手段によって発見された装置に関する情報のうち、いずれかの情報の選択をユーザから受け付ける選択受付手段と、を更に有し、
前記通信手段は、前記第１検索手段及び前記第２検索手段によって発見された装置のうち、前記ユーザから選択された情報に対応する装置と、前記第２通信部によって通信することを特徴とする請求項１〜５のいずれか１項に記載の情報処理装置。
【請求項７】
前記第１検索手段及び前記第２検索手段は、印刷を実行可能な装置を検索することを特徴とする請求項１〜６のいずれか１項に記載の情報処理装置。
【請求項８】
前記通信手段は、前記第１検索手段及び前記第２検索手段によって発見された装置のうちいずれかの装置に、当該装置に印刷を実行させるための印刷ジョブを前記第２通信部によって送信することを特徴とする請求項７に記載の情報処理装置。
【請求項９】
前記第１通信部は、Ｂｌｕｅｔｏｏｔｈ  Ｌｏｗ  Ｅｎｅｒｇｙ（登録商標）によって近距離無線通信を実行することを特徴とする請求項１〜８のいずれか１項に記載の情報処理装置。
【請求項１０】
前記第２通信部は、Ｗｉ−Ｆｉ（商標登録）によって通信を実行することを特徴とする請求項１〜９のいずれか１項に記載の情報処理装置。
【請求項１１】
前記第１検索処理は、マルチキャスト検索処理又はブロードキャスト検索処理であり、前記第２検索処理は、ユニキャスト検索処理であることを特徴とする請求項１〜１０のいずれか１項に記載の情報処理装置。
【請求項１２】
前記特定情報は、前記特定情報の送信元の装置のＩＰアドレスであることを特徴とする請求項１〜１１のいずれか１項に記載の情報処理装置。
【請求項１３】
近距離無線通信を実行する第１通信部と、前記近距離無線通信より高速な通信を実行する第２通信部と、を有する情報処理装置であって、
ユーザから所定の指示を受け付ける指示受付手段と、
前記第１通信部によって、前記情報処理装置の外部の装置から、前記装置を特定するための特定情報を受信する処理を、前記指示受付手段により前記所定の指示が受け付けられる前から開始する受信手段と、
前記受信手段により受信された前記特定情報をメモリに保存する保存手段と、
前記受け付け手段により前記所定の指示が受け付けられた場合、前記情報処理装置が通信可能な装置を、マルチキャスト検索処理又はブロードキャスト検索処理によって検索する第１検索手段と、
前記受け付け手段により前記所定の指示が受け付けられた場合、前記情報処理装置が通信可能な装置を検索可能な第２検索処理を、前記保存手段により保存された前記特定情報を用いたユニキャスト検索処理によって検索する第２検索手段と、
前記第１検索手段及び前記第２検索手段によって発見された装置のうちいずれかの装置と、前記第２通信部によって通信する通信手段と、
を有し、
前記ユニキャスト検索処理が実行された場合、前記ユニキャスト検索処理に用いられた前記特定情報の送信元の装置が発見されることを特徴とする情報処理装置。
【請求項１４】
近距離無線通信を実行する第１通信部と、前記近距離無線通信より高速な通信を実行する第２通信部と、を有する情報処理装置の制御方法であって、
ユーザから所定の指示を受け付ける指示受付ステップと、
前記第１通信部によって、前記情報処理装置の外部の装置から、前記装置を特定するための特定情報を受信する処理を、前記所定の指示が受け付けられる前から開始する受信ステップと、
前記受信ステップにより受信された前記特定情報をメモリに保存する保存ステップと、
前記所定の指示が受け付けられた場合、前記情報処理装置が属するサブネット内の、前記情報処理装置が通信可能な装置を検索可能な第１検索処理を実行する第１検索ステップと、
前記所定の指示が受け付けられた場合、前記保存ステップにより保存された前記特定情報を用いて、前記情報処理装置が属するサブネットの外部の、前記情報処理装置が通信可能な装置を検索可能な第２検索処理を実行する第２検索ステップと、
前記第１検索ステップ及び前記第２検索ステップによって発見された装置のうちいずれかの装置と、前記第２通信部によって通信する通信ステップと、
を有し、
前記第２検索ステップによって前記第２検索処理が実行された場合、前記第２検索処理に用いられた前記特定情報の送信元の装置が発見されることを特徴とする制御方法。
【請求項１５】
請求項１〜１３のいずれか１項に記載の情報処理装置の各手段として、コンピュータを機能させるためのプログラム。
【手続補正２】
【補正対象書類名】明細書
【補正対象項目名】０００６
【補正方法】変更
【補正の内容】
【０００６】
上記課題を解決するため、本発明の情報処理装置は、
近距離無線通信を実行する第１通信部と、前記近距離無線通信より高速な通信を実行する第２通信部と、を有する情報処理装置であって、
ユーザから所定の指示を受け付ける指示受付手段と、
前記第１通信部によって、前記情報処理装置の外部の装置から、前記装置を特定するための特定情報を受信する処理を、前記指示受付手段により前記所定の指示が受け付けられる前から開始する受信手段と、
前記受信手段により受信された前記特定情報をメモリに保存する保存手段と、
前記受け付け手段により前記所定の指示が受け付けられた場合、前記情報処理装置が属するサブネット内の、前記情報処理装置が通信可能な装置を検索可能な第１検索処理を実行する第１検索手段と、
前記受け付け手段により前記所定の指示が受け付けられた場合、前記保存手段により保存された前記特定情報を用いて、前記情報処理装置が属するサブネットの外部の、前記情報処理装置が通信可能な装置を検索可能な第２検索処理を実行する第２検索手段と、
前記第１検索手段及び前記第２検索手段によって発見された装置のうちいずれかの装置と、前記第２通信部によって通信する通信手段と、
を有し、
前記第２検索手段によって前記第２検索処理が実行された場合、前記第２検索処理に用いられた前記特定情報の送信元の装置が発見されることを特徴とする。